【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
所定のプログラムに基づく制御によりフォルダを記憶媒体に新規に作成する作成手段と、
前記所定のプログラム以外のプログラムに基づく制御によって前記記憶媒体内に作成されたフォルダを前記所定のプログラムで利用するため、前記所定のプログラム以外のプログラムに基づく制御によって前記記憶媒体内に作成されたフォルダを前記所定のプログラムに関連付ける関連付け手段と、
前記所定のプログラムで利用しているフォルダのうちから所望のフォルダを選択する選択手段と、
前記選択手段により選択されたフォルダが前記作成手段により作成されたものである場合には、当該選択されたフォルダを前記記憶媒体から削除し、前記選択手段により選択されたフォルダが前記関連付け手段により関連付けされたものである場合には、当該選択されたフォルダを前記記憶媒体から削除せずに前記関連付けを解除するよう制御する削除制御手段と、を有することを特徴とする情報処理装置。
【請求項２】
前記所定のプログラムで利用するフォルダが、前記作成手段により作成されたフォルダであるか、前記関連付け手段により関連付けされたフォルダであるかを識別するための管理情報をメモリに記録する記録手段と、
前記メモリに記録されている情報を参照して、前記選択手段により選択されたフォルダが前記作成手段により作成されたものであるか、前記関連付け手段により関連付けされたものであるかを識別する識別手段と、
前記選択手段により選択されたフォルダが前記作成手段により作成されたものであると前記識別手段により識別された場合には、前記削除制御手段は、当該選択されたフォルダを前記記憶媒体から削除し、前記選択手段により選択されたフォルダが前記関連付け手段により関連付けされたものであると前記識別手段により識別された場合には、前記削除制御手段は、当該選択されたフォルダを前記記憶媒体から削除せずに前記関連付けを解除するよう制御することを特徴とする請求項１に記載の情報処理装置。
【請求項３】
前記管理情報は、前記作成手段により新規に作成されたフォルダであることを示す第１の属性情報を含み、
前記選択手段により選択されたフォルダの管理情報に前記第１の属性情報が含まれている場合は、前記削除制御手段は、前記選択手段により選択されたフォルダを前記記憶媒体から削除するとともに、当該フォルダの管理情報を削除することを特徴とする請求項２に記載の情報処理装置。
【請求項４】
前記管理情報は、前記関連付け手段により関連付けされたフォルダであることを示す第２の属性情報を含み、
前記選択手段により選択されたフォルダの管理情報に前記第２の属性情報が含まれている場合は、前記削除制御手段は、前記選択手段により選択されたフォルダを前記記憶媒体から削除せずに、当該フォルダの管理情報を削除することを特徴とする請求項２または３に記載の情報処理装置。
【請求項５】
前記管理情報は、前記削除制御手段によって削除されたフォルダであることを示す削除情報を含み、
前記作成手段が作成するフォルダに対応する削除情報が管理情報に含まれる場合、前記記録手段は、当該フォルダを削除したときと同じ管理情報を再度、記録することを特徴とする請求項２ないし４のいずれか１項に記載の情報処理装置。
【請求項６】
前記作成手段が前記削除制御手段によって削除されたフォルダを再度作成する場合、前記記録手段は、前記再度作成するフォルダの削除情報を前記メモリから削除することを特徴とする請求項２ないし５のいずれか１項に記載の情報処理装置。
【請求項７】
所定のプログラムに基づく制御によりフォルダを記憶媒体に新規に作成する作成工程と、
前記所定のプログラム以外のプログラムに基づく制御によって前記記憶媒体内に作成されたフォルダを前記所定のプログラムで利用するため、前記所定のプログラム以外のプログラムに基づく制御によって前記記憶媒体内に作成されたフォルダを前記所定のプログラムに関連付ける関連付け工程と、
前記所定のプログラムで利用しているフォルダのうちから所望のフォルダを選択する選択工程と、
前記選択工程により選択されたフォルダが前記作成工程により作成されたものである場合には、当該選択されたフォルダを前記記憶媒体から削除し、前記選択工程により選択されたフォルダが前記関連付け工程により関連付けされたものである場合には、当該選択されたフォルダを前記記憶媒体から削除せずに前記関連付けを解除するよう制御する削除制御工程と、を有することを特徴とする情報処理方法。
【請求項８】
コンピュータに、請求項７に記載の情報処理方法の各工程を実行させるためのプログラム。
【請求項９】
コンピュータに、請求項７に記載の情報処理方法の各工程を実行させるためのプログラムを格納したコンピュータが読み取り可能な記憶媒体。
【請求項１０】
記憶媒体内に記録されたフォルダの管理情報を管理するフォルダ管理手段と、
フォルダを新規に作成し、当該作成したフォルダの管理情報を前記フォルダ管理手段に登録するフォルダ作成手段と、
前記記憶媒体内に存在するフォルダの管理情報を前記フォルダ管理手段に登録するフォルダ登録手段と、
削除する対象のフォルダを選択する選択手段と、
前記選択手段で選択されたフォルダが前記フォルダ作成手段で作成されたフォルダの場合には、当該フォルダの管理情報を削除すると共に前記記憶媒体からフォルダを削除し、前記選択手段で選択されたフォルダが前記フォルダ登録手段で登録されたフォルダの場合には、当該フォルダを前記記憶媒体から削除せずに、当該フォルダの管理情報を削除するフォルダ削除手段と、を有することを特徴とする情報処理装置。
【請求項１１】
前記フォルダ作成手段は、前記新規に作成したフォルダの管理情報に、新規に作成したことを示す第１の属性情報を登録し、
前記選択手段によって選択されたフォルダの前記管理情報に前記第１の属性情報が登録されている場合は、前記フォルダ削除手段は、前記選択手段により選択されたフォルダを前記記憶媒体から削除するとともに、当該フォルダの管理情報を削除することを特徴とする請求項１０に記載の情報処理装置。
【請求項１２】
前記フォルダ登録手段は、登録するフォルダのフォルダ情報に、既存のフォルダを登録したことを示す第２の属性情報を登録し、
前記選択手段によって選択されたフォルダの前記管理情報に前記第２の属性情報が登録されている場合は、前記フォルダ削除手段は、前記選択手段により選択されたフォルダを前記記憶媒体から削除せずに、当該フォルダの管理情報を削除することを特徴とする請求項１０または１１に記載の情報処理装置。
【請求項１３】
前記フォルダ管理手段は、前記フォルダ削除手段によって削除されたフォルダ情報であることを示す削除情報を管理情報に登録し、
前記フォルダ登録手段が登録するフォルダに対応する前記削除情報が前記管理情報に含まれる場合、前記フォルダ登録手段は、当該フォルダを削除した時と同じ管理情報を再度、前記フォルダ管理手段で管理することを特徴とする請求項１０ないし１２のいずれか１項に記載の情報処理装置。
【請求項１４】
前記フォルダ削除手段によって削除されたフォルダを再度登録する場合、前記フォルダ管理手段は、前記再度登録するフォルダの削除情報を削除することを特徴とする請求項１３に記載の情報処理装置。
【請求項１５】
記憶媒体内に記録されたフォルダの管理情報を管理するフォルダ管理手段を有する情報処理装置の情報処理方法であって、
フォルダを新規に作成し、当該作成したフォルダの管理情報を前記フォルダ管理手段に登録するフォルダ作成工程と、
前記記憶媒体内に存在するフォルダの管理情報を前記フォルダ管理手段に登録するフォルダ登録工程と、
削除する対象のフォルダを選択する選択工程と、
前記選択工程で選択されたフォルダが前記フォルダ作成工程で作成されたフォルダの場合には、当該フォルダの管理情報を削除すると共に前記記憶媒体からフォルダを削除し、前記選択工程で選択されたフォルダが前記フォルダ登録工程で登録されたフォルダの場合には、当該フォルダを前記記憶媒体から削除せずに、当該フォルダの管理情報を削除するフォルダ削除工程と、を有することを特徴とする情報処理方法。
【請求項１６】
コンピュータに、請求項１５に記載の情報処理方法の各工程を実行させるためのプログラム。
【請求項１７】
コンピュータに、請求項１５に記載の情報処理方法の各工程を実行させるためのプログラムを記憶したコンピュータによる読み取りが可能な記憶媒体。
【手続補正２】
【補正対象書類名】明細書
【補正対象項目名】０００９
【補正方法】変更
【補正の内容】
【０００９】
上記課題を解決し、目的を達成するために、所定のプログラムに基づく制御によりフォルダを記憶媒体に新規に作成する作成手段と、前記所定のプログラム以外のプログラムに基づく制御によって前記記憶媒体内に作成されたフォルダを前記所定のプログラムで利用するため、前記所定のプログラム以外のプログラムに基づく制御によって前記記憶媒体内に作成されたフォルダを前記所定のプログラムに関連付ける関連付け手段と、前記所定のプログラムで利用しているフォルダのうちから所望のフォルダを選択する選択手段と、前記選択手段により選択されたフォルダが前記作成手段により作成されたものである場合には、当該選択されたフォルダを前記記憶媒体から削除し、前記選択手段により選択されたフォルダが前記関連付け手段により関連付けされたものである場合には、当該選択されたフォルダを前記記憶媒体から削除せずに前記関連付けを解除するよう制御する削除制御手段と、を有する。
【手続補正３】
【補正対象書類名】明細書
【補正対象項目名】００３５
【補正方法】変更
【補正の内容】
【００３５】
ステップＳ６０５で「選択登録フォルダ」であると判定した場合、ステップＳ６０７でメニュー項目の表示状態を設定する。ステップＳ６０８では、ステップＳ６０７での設定に基づいたメニュー表示を行う。図１０はフォルダペイン２０１で選択登録フォルダに対するリンク情報が選択された状態でフォルダメニューの表示例である。選択登録フォルダ対するリンク情報１００１を選択した状態でフォルダメニュー表示を行うと、メニュー１００２が表示される。処理対象が選択登録フォルダであるため、新規に管理フォルダを登録するための処理である「管理フォルダの作成」、「管理フォルダの選択」および「メモリカードの取り外し」は選択不可能であり、「管理フォルダの解除」が選択可能な状態となる。ここで処理対象の管理フォルダは、管理アプリケーションが新規に作成したフォルダではなく、ユーザが管理アプリケーションを使用せずにコンテンツをコピーしたフォルダである。選択登録フォルダは、ＯＳの動作に必要なファイルなどが保存されている特殊フォルダである可能性があるため、管理フォルダ以下のフォルダおよびファイルを削除した場合、システムの動作に影響する可能性がある。そのため、「管理フォルダの削除」は選択不可能な状態で表示する。
【手続補正４】
【補正対象書類名】図面
【補正対象項目名】図１
【補正方法】変更
【補正の内容】
【図１】
2013025502.tif 000001